【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
被撮像画像を撮像して記憶媒体に記録する撮像装置において、
通常画像と検索キー画像とを選択的に撮像することを特徴とする撮像装置。
【請求項２】
通常画像の撮像と検索キー画像の撮像のいずれにおいてもシャッターボタンの押釦動作を使用することを特徴とする請求項１に記載の撮像装置。
【請求項３】
シャッターボタンと検索ボタンを同時に押すことにより、検索キー画像が撮像されることを特徴とする請求項１に記載の撮像装置。
【請求項４】
撮像モード以外のモードで撮像することにより、検索キー画像が撮像されることを特徴とする請求項１に記載の撮像装置。
【請求項５】
被撮像画像を撮像して記憶媒体に記録する撮像装置において、
検索キー画像の撮像を契機として、当該検索キー画像による検索動作が開始されることを特徴とする撮像装置。
【請求項６】
シャッターボタンと検索ボタンを同時に押すことにより、検索キー画像が撮像された上で、当該撮像された検索キー画像による検索動作が開始されることを特徴とする請求項５に記載の撮像装置。
【請求項７】
撮像モード以外のモードで撮像することにより、検索キー画像が撮像された上で、当該撮像された検索キー画像による検索動作が開始されることを特徴とする請求項５に記載の撮像装置。
【請求項８】
被撮像画像を撮像して記憶媒体に記録する撮像装置において、
通常画像を当該記憶媒体に記録するとともに、検索キー画像を同一の記憶媒体上に記録することを特徴とする撮像装置。
【請求項９】
前記記憶媒体内における通常画像の記録領域と検索キー画像の記録領域とを分離することを特徴とする請求項８に記載の撮像装置。
【請求項１０】
検索キー画像に対するファイル管理情報には、通常画像に対するファイル管理情報と異なる情報を付すことを特徴とする請求項８に記載の撮像装置。
【請求項１１】
前記記憶媒体に検索キー画像を記録するにあたり、撮像した被撮像画像データの圧縮または間引を行った上で記録することを特徴とする請求項８に記載の撮像装置。
【請求項１２】
前記記憶媒体に記録されている検索キー画像を通常画像に複製、変更またはリンクすることを特徴とする請求項８に記載の撮像装置。
【請求項１３】
前記記憶媒体に記録されている通常画像を検索キー画像に複製、変更またはリンクすることを特徴とする請求項８に記載の撮像装置。
【請求項１４】
被撮像画像を撮像して記憶媒体に記録する撮像装置において、
当該記憶媒体に記録される画像は通常画像であるとともに、検索キー画像としても使用することが可能であることを特徴とする撮像装置。
【請求項１５】
通常画像であるとともに検索キー画像としても使用する画像に対するファイル管理情報には、兼用画像であることを示す情報を付すことを特徴とする請求項１４に記載の撮像装置。
【請求項１６】
検索キー画像となる画像を直接撮像しうることを特徴とする請求項８乃至１５のいずれか１項に記載の撮像装置。
【請求項１７】
シャッターボタンの他に検索ボタンを有することを特徴とする請求項８乃至１６のいずれか１項に記載の撮像装置。
【請求項１８】
被撮像画像を撮像して記憶媒体に記録する撮像装置において、
記憶媒体内の任意の画像を特定し読み出すことにより、当該画像を検索キー画像とすることを特徴とする撮像装置。
【請求項１９】
検索キー画像として特定した画像を、検索キー画像として記憶媒体に記録することを特徴とする請求項１８に記載の撮像装置。
【請求項２０】
被撮像画像を撮像して記憶媒体に記録する撮像装置において、
検索キー画像として特定した画像または検索結果から出現した画像を指定し、検索ボタンを押すことにより、当該画像を検索キー画像として再度検索を実行することを特徴とする撮像装置。
【請求項２１】
被撮像画像を撮像して記憶媒体に記録する撮像装置において、
検索動作中にも画像の撮像動作または画像の再生動作が可能であることを特徴とする撮像装置。
【請求項２２】
被撮像画像を撮像して記憶媒体に記録する撮像装置において、
当該撮像装置が撮像モード以外のモードにあるときは、常に、任意の検索キー画像が検索キーとして選択されている状態にあることを特徴とする撮像装置。
【請求項２３】
検索キーとして選択されている検索キー画像は、最新または最古に得られた検索キー画像であることを特徴とする請求項２２に記載の撮像装置。
【請求項２４】
被撮像画像を撮像して記憶媒体に記録する撮像装置において、
検索キーとして検索キー画像を選択する場合に、時間順またはファイル名順で表示することを特徴とする撮像装置。
【請求項２５】
請求項１乃至請求項２４のいずれか１項に記載の撮像装置を動作させるための制御プログラム。
【請求項２６】
画像を撮像することで、検索対象となる通常画像データまたは検索キーとなる検索キー画像データを取得する撮像部と、
撮像された前記通常画像データを記憶する記憶媒体と、
前記記憶媒体に記憶されている前記通常画像データの中から前記検索キー画像データと所定の関係を有する通常画像データを検索抽出する検索抽出部とを備える撮像装置であって、
前記通常画像データを取得する際の第１の操作入力と前記検索キー画像データを取得する際の第２の操作入力とを異なる操作態様にて入力する操作部をさらに含むことを特徴とする撮像装置。
【請求項２７】
画像を撮像して記憶媒体に記録する撮像装置において、
検索キーとなる検索キー画像データの撮像処理を行なう撮像部と、
前記記憶媒体に記憶されている通常画像データの中から前記検索キー画像データと所定の関係を有する通常画像データを検索抽出する検索抽出部とを備え、
前記検索抽出部は、前記撮像部による前記検索キー画像データの撮像処理が完了したことを契機として、該検索キー画像データを用いた検索抽出処理を実行することを特徴とする撮像装置。
【請求項２８】
画像を撮像して記憶媒体に記録する撮像装置において、
前記記憶媒体に記憶されている通常画像データの中から検索キー画像データと所定の関係を有する通常画像データを検索抽出する検索抽出部と、
前記検索抽出部により検索抽出された通常画像データを新しい前記検索キー画像データとして選択する選択部とを備え、
前記検索抽出部は、前記新しい検索キー画像データに基づいて再度検索抽出処理を実行することを特徴とする撮像装置。
【請求項２９】
画像を撮像して記憶媒体に記録する撮像装置において、
検索対象となる通常画像データを撮像する撮像部と、
前記記憶媒体に記憶されている通常画像データの中から検索キー画像データと所定の関係を有する通常画像データを検索抽出する検索抽出部とを備え、
前記撮像部による前記記憶媒体へのアクセスと前記検索抽出部による該記憶媒体へのアクセスとをそれぞれ異なる制御により実行することで、前記検索抽出部において検索抽出処理が実行されている際にも、並行して、前記撮像部が前記通常画像データを撮像できるようにしたことを特徴とする撮像装置。
【請求項３０】
画像を撮像して記憶媒体に記録する撮像装置において、
前記記憶媒体に記憶されている通常画像データの中から検索キー画像データと所定の関係を有する通常画像データを検索抽出する検索抽出部と、
前記記億媒体に記憶されている前記通常画像データを再生する再生処理部を備え、
前記再生処理部による前記記憶媒体へのアクセスと前記検索抽出部による該記憶媒体へのアクセスとをそれぞれ異なる制御により実行することで、前記検索抽出部において検索抽出処理が実行されている際にも、並行して、前記再生処理部が前記通常画像データを再生できるようにしたことを特徴とする撮像装置。
【請求項３１】
画像を撮像して記憶媒体に記録する撮像装置において、
前記撮像装置の動作モードを設定する動作モード設定部と、
前記記憶媒体に記憶されている通常画像データの中から検索キー画像データと所定の関係を有する通常画像データを検索抽出する検索抽出部とを備え、
前記撮像装置が、前記検索抽出部により検索抽出処理を実行可能な動作モードに設定されている場合に、該検索抽出部は、予め指定された前記検索キー画像データを検索キーとして維持することを特徴とする撮像装置。
【請求項３２】
画像を撮像することで、検索対象となる通常画像データまたは検索キーとなる検索キー画像データを取得する撮像部と、
撮像された前記通常画像データを記憶する記憶媒体と、
前記記憶媒体に記憶されている前記通常画像データの中から前記検索キー画像データと所定の関係を有する通常画像データを検索抽出する検索抽出部とを備える撮像装置であって、
前記撮像部により撮像された前記検索キー画像データを前記通常画像データとは区別しうる態様にて前記記憶媒体に記憶する記憶制御部をさらに含むことを特徴とする撮像装置。
【請求項３３】
画像を撮像することで、検索対象となる通常画像データまたは検索キーとなる検索キー画像データを取得する撮像部と、
撮像された前記通常画像データを記憶する画像記憶媒体と、
前記画像記憶媒体に記憶されている前記通常画像データの中から前記検索キー画像データと所定の関係を有する通常画像データを検索抽出する検索抽出部と、
操作入力を入力するための操作部とを有する撮像装置に対し、
前記通常画像データを取得する際の第１の操作入力が前記操作部から入力されると、前記撮像部を制御して該通常画像データを取得させ、前記記憶媒体に記憶させ、
前記第１の操作入力とは異なる操作態様により入力される前記検索キー画像データを取得するための第２の操作入力が前記操作部から入力されると、前記撮像部を制御して該検索キー画像データを取得させる
ことを特徴とする制御プログラム。
【請求項３４】
画像を撮像することで、検索対象となる通常画像データまたは検索キーとなる検索キー画像データを取得する撮像部と、
撮像された前記通常画像データを記憶する画像記憶媒体と、
前記画像記憶媒体に記憶されている前記通常画像データの中から前記検索キー画像データと所定の関係を有する通常画像データを検索抽出する検索抽出部と、
操作入力を入力するための操作部とを有する撮像装置に対し、
前記撮像部により撮像された前記検索キー画像データを前記通常画像データとは区別しうる態様にて前記記憶媒体に記憶させる
ことを特徴とする制御プログラム。
【手続補正２】
【補正対象書類名】明細書
【補正対象項目名】０００９
【補正方法】変更
【補正の内容】
【０００９】
上記課題を解決すべく、本発明は、被撮像画像を撮像して記憶媒体に記録する撮像装置において、通常画像と検索キー画像とを選択的に撮像することを特徴とする。また、本発明は、被撮像画像を撮像して記憶媒体に記録する撮像装置において、検索キー画像の撮像を契機として、当該検索キー画像による検索動作が開始されることを特徴とする。また、本発明は、被撮像画像を撮像して記憶媒体に記録する撮像装置において、通常画像を当該記憶媒体に記録するとともに、検索キー画像を同一の記憶媒体上に記録することを特徴とする。また、本発明は、被撮像画像を撮像して記憶媒体に記録する撮像装置において、当該記憶媒体に記録される画像は通常画像であるとともに、検索キー画像としても使用することが可能であることを特徴とする。また、本発明は、被撮像画像を撮像して記憶媒体に記録する撮像装置において、記憶媒体内の任意の画像を特定し読み出すことにより、当該画像を検索キー画像とすることを特徴とする。また、本発明は、被撮像画像を撮像して記憶媒体に記録する撮像装置において、検索キー画像として特定した画像または検索結果から出現した画像を指定し、検索ボタンを押すことにより、当該画像を検索キー画像として再度検索を実行することを特徴とする。
【手続補正３】
【補正対象書類名】明細書
【補正対象項目名】００１０
【補正方法】変更
【補正の内容】
【００１０】
また、本発明は、被撮像画像を撮像して記憶媒体に記録する撮像装置において、検索動作中にも画像の撮像動作または画像の再生動作が可能であることを特徴とする。また、本発明は、被撮像画像を撮像して記憶媒体に記録する撮像装置において、当該撮像装置が撮像モード以外のモードにあるときは、常に、任意の検索キー画像が検索キーとして選択されている状態にあることを特徴とする。また、本発明は、被撮像画像を撮像して記憶媒体に記録する撮像装置において、検索キーとして検索キー画像を選択する場合に、時間順またはファイル名順で表示することを特徴とする。さらに、上記各発明のプログラムを撮像装置において動作させることを特徴とする。さらに、本発明は、被撮像画像を撮像して記憶媒体に記憶する撮像装置において、通常画像データと検索キー画像データとを選択的に撮像するものである。すなわち、本発明は、通常画像データを取得する際の第１の操作入力と、検索キー画像データを取得する際の第２の操作入力とを異なる操作態様にて入力する操作部を設けるものである。
【手続補正４】
【補正対象書類名】明細書
【補正対象項目名】００１１
【補正方法】変更
【補正の内容】
【００１１】
さらに、本発明は、画像を撮像して記憶媒体に記録する撮像装置において、検索キーとなる検索キー画像データの撮像処理を行なう撮像部と、前記記憶媒体に記憶されている通常画像データの中から前記検索キー画像データと所定の関係を有する通常画像データを検索抽出する検索抽出部とを備え、前記検索抽出部は、前記撮像部による前記検索キー画像データの撮像処理が完了したことを契機として、該検索キー画像データを用いた検索抽出処理を実行することを特徴とする。さらに、本発明は、画像を撮像して記憶媒体に記録する撮像装置において、前記記憶媒体が着脱交換可能な記憶媒体であり、かつ、他の装置において記憶された画像データを含む場合に、該記憶媒体に記憶されている該画像データの少なくとも一つを検索キー画像データとして選択する選択部をさらに含むことを特徴とする。さらに、本発明は、画像を撮像して記憶媒体に記録する撮像装置において、前記記憶媒体に記憶されている通常画像データの中から検索キー画像データと所定の関係を有する通常画像データを検索抽出する検索抽出部と、前記検索抽出部により検索抽出された通常画像データを新しい前記検索キー画像データとして選択する選択部とを備え、前記検索抽出部は、前記新しい検索キー画像データに基づいて再度検索抽出処理を実行することを特徴とする。
【手続補正５】
【補正対象書類名】明細書
【補正対象項目名】００１２
【補正方法】変更
【補正の内容】
【００１２】
さらに、本発明は、画像を撮像して記憶媒体に記録する撮像装置において、検索対象となる通常画像データを撮像する撮像部と、前記記憶媒体に記憶されている通常画像データの中から検索キー画像データと所定の関係を有する通常画像データを検索抽出する検索抽出部とを備え、前記撮像部による前記記憶媒体へのアクセスと前記検索抽出部による該記憶媒体へのアクセスとをそれぞれ異なる制御により実行することで、前記検索抽出部において検索抽出処理が実行されている際にも、並行して、前記撮像部が前記通常画像データを撮像できるようにしたことを特徴とする。
【手続補正６】
【補正対象書類名】明細書
【補正対象項目名】００１３
【補正方法】変更
【補正の内容】
【００１３】
さらに、本発明は、画像を撮像して記憶媒体に記録する撮像装置において、前記記憶媒体に記憶されている通常画像データの中から検索キー画像データと所定の関係を有する通常画像データを検索抽出する検索抽出部と、前記記億媒体に記憶されている前記通常画像データを再生する再生処理部を備え、前記再生処理部による前記記憶媒体へのアクセスと前記検索抽出部による該記憶媒体へのアクセスとをそれぞれ異なる制御により実行することで、前記検索抽出部において検索抽出処理が実行されている際にも、並行して、前記再生処理部が前記通常画像データを再生できるようにしたことを特徴とする。
【手続補正７】
【補正対象書類名】明細書
【補正対象項目名】００１４
【補正方法】変更
【補正の内容】
【００１４】
さらに、本発明は、画像を撮像して記憶媒体に記録する撮像装置において、前記撮像装置の動作モードを設定する動作モード設定部と、前記記憶媒体に記憶されている通常画像データの中から検索キー画像データと所定の関係を有する通常画像データを検索抽出する検索抽出部とを備え、前記撮像装置が、前記検索抽出部により検索抽出処理を実行可能な動作モードに設定されている場合に、該検索抽出部は、予め指定された前記検索キー画像データを検索キーとして維持することを特徴とする。
【手続補正８】
【補正対象書類名】明細書
【補正対象項目名】００１５
【補正方法】変更
【補正の内容】
【００１５】
さらに、本発明は、画像を撮像することで、検索対象となる通常画像データまたは検索キーとなる検索キー画像データを取得する撮像部と、撮像された前記通常画像データを記憶する記憶媒体と、前記記憶媒体に記憶されている前記通常画像データの中から前記検索キー画像データと所定の関係を有する通常画像データを検索抽出する検索抽出部とを備える撮像装置であって、前記撮像部により撮像された前記検索キー画像データを前記通常画像データとは区別しうる態様にて前記記憶媒体に記憶する記憶制御部をさらに含むことを特徴とする。
【手続補正９】
【補正対象書類名】明細書
【補正対象項目名】００１６
【補正方法】変更
【補正の内容】
【００１６】
さらに、本発明は、画像を撮像することで、検索対象となる通常画像データまたは検索キーとなる検索キー画像データを取得する撮像部と、撮像された前記通常画像データを記憶する画像記憶媒体と、前記画像記憶媒体に記憶されている前記通常画像データの中から前記検索キー画像データと所定の関係を有する通常画像データを検索抽出する検索抽出部と、操作入力を入力するための操作部とを有する撮像装置に対し、前記通常画像データを取得する際の第１の操作入力が前記操作部から入力されると、前記撮像部を制御して該通常画像データを取得させ、前記記憶媒体に記憶させ、前記第１の操作入力とは異なる操作態様により入力される前記検索キー画像データを取得するための第２の操作入力が前記操作部から入力されると、前記撮像部を制御して該検索キー画像データを取得させることを特徴とする。
【手続補正１０】
【補正対象書類名】明細書
【補正対象項目名】００１７
【補正方法】変更
【補正の内容】
【００１７】
さらに、本発明は、画像を撮像することで、検索対象となる通常画像データまたは検索キーとなる検索キー画像データを取得する撮像部と、撮像された前記通常画像データを記憶する画像記憶媒体と、前記画像記憶媒体に記憶されている前記通常画像データの中から前記検索キー画像データと所定の関係を有する通常画像データを検索抽出する検索抽出部と、操作入力を入力するための操作部とを有する撮像装置に対し、前記撮像部により撮像された前記検索キー画像データを前記通常画像データとは区別しうる態様にて前記記憶媒体に記憶させることを特徴とする
【手続補正１１】
【補正対象書類名】明細書
【補正対象項目名】００１８
【補正方法】変更
【補正の内容】
【００１８】
以上説明したように、本発明によれば、２種類の撮像動作を明確に切り分けることのできる撮像装置を提供することが可能となる。また、本発明によれば、撮像と同時に検索を開始できる撮像装置を提供することが可能となる。さらに、本発明によれば、通常画像と検索キー画像とを容易に区別することができ、検索キー画像を繰り返し使用でき、かつ、当該記憶媒体に適した検索キー画像を迅速に取り出せる撮像装置を提供することが可能となる。さらに、他の撮像装置で撮像した画像を含んだ記憶媒体を当該撮像装置で使用する場合等、記憶媒体内に検索キー画像の区別がない場合であっても、容易に検索キー画像の特定を行なうことができる撮像装置を提供することが可能となる。
【手続補正１２】
【補正対象書類名】明細書
【補正対象項目名】００３７
【補正方法】変更
【補正の内容】
【００３７】
ステップＳ４０１において、ＣＰＵ１７は、少なくともシャッターボタン２２Ａが押釦されたか否かを判定する。例えば、シャッターボタン２２Ａが押釦されると操作部ＩＦ２３においてシャッターボタンＯＮ信号発生されるため、ＣＰＵ１７はポーリングを実行することで、当該ＯＮ信号を検知できる。一方、シャッターボタン２２Ａと検索ボタン２２Ｂが同時に押釦されると、操作部ＩＦ２３には、上記シャッターボタンＯＮ信号に加えて、検索キー画像撮像信号（同時押釦信号）が発生する。発生した上記シャッターボタンＯＮ信号は、通常画像の撮像、または検索キー画像の撮像のいずれにおいても、（メイン）ＣＰＵ１７に伝えられる。尚、シャッターボタンＯＮ信号の検知に際しては、ポーリング動作に代えて、例えば、割り込み処理によって検知する構成を採用してもよい。シャッターボタンＯＮ信号を検知できなければ、ステップＳ４００にもどる。一方、検知したならば、ステップＳ４０２へ進む。
【手続補正１３】
【補正対象書類名】明細書
【補正対象項目名】０１２６
【補正方法】変更
【補正の内容】
【０１２６】
図１４は、第４の実施形態に係る検索キー画像特定サブルーチンを示すフローチャートである。当該サブルーチンは、図１３のステップＳ１３０１に相当する。なお、図９において説明した個所は、同一の参照符号を付すことで説明を省略する。
【手続補正１４】
【補正対象書類名】明細書
【補正対象項目名】０１５９
【補正方法】変更
【補正の内容】
【０１５９】
【図１】図１は、第１の実施形態に係る撮像装置の構成例を示す図である。
【図２】図２は、第１の実施形態に係る撮像装置の外観図である。
【図３】図３は、第１の実施形態に係る撮像装置のモード遷移を示す状態遷移図である。
【図４】図４は、第１の実施形態に係る撮像動作と記憶媒体３０への書き込みに関連する動作を示すフローチャートである。
【図５】図５は、第１の実施形態に係る撮像動作と検索処理等を示すフローチャートである。
【図６】図６は、第1の実施形態に係る再生モードの動作を示すフローチャートである。
【図７】図７は、第1の実施形態か係る検索キー画像の撮像サブルーチンに関するフローチャートである。
【図８】図８は、第１の実施形態に係る検索サブルーチンのフローチャートである。
【図９】図９は、第１の実施形態に検索キー画像選択サブルーチンのフローチャートである。
【図１０】図１０は、第２の実施形態に係る撮像装置の構成例を示す図である。
【図１１】図１１は、第３の実施形態に係る撮像装置の構成例を示す図である。
【図１２】図１２は、第４の実施形態に係る撮像装置の構成例を示す図である。
【図１３】図１３は、第４の実施形態に係る再生モードの動作を示すフローチャートである。
【図１４】図１４は、第４の実施形態に係る検索キー画像特定サブルーチンを示すフローチャートである。
【図１５】図１５は、第５の実施形態に係る検索サブルーチンを示すフローチャートである。
【図１６】図１６は、第６の実施形態に係る再生モードの動作を示すフローチャートである。
【図１７】図１７は、第６の実施形態に係る検索サブルーチンを示す図である。
【図１８】、
【図１９】図１８および図１９は、変形例に関する撮像装置の外観図である。